(57)【要約】【課題】配線・配管材の曲がり部を収容して保護する曲がり部用保護カバーにおいて、配線・配管材の異なる曲げ角度に対応できるとともに、簡易な構成で両端に直状保護カバーを的確に接続することのできる配線・配管材保護カバーを提供する。【解決手段】全体を所定の角度に曲げ形成し、両端部に直状保護カバー６０が接続される接続口１１を設けるとともに、配線・配管材Ｈの曲がり部の曲げ角度を変更すべく切断される切断部１５を設け、切断部１５が切断されることによって形成される端部に直状保護カバー６０が接続可能な接続口１１を形成すべく切断部１５に隣接する部分に接続口形成部１４を設けた。【選択図】図７
2015135166.tif 000002
【特許請求の範囲】
【請求項１】
構築面に沿って配設される配線・配管材の直状部を収容して保護する直状保護カバーが両端に接続されるとともに、前記配線・配管材の曲がり部を収容して保護する配線・配管材保護カバーであって、
所定の角度に曲げ形成され、
両端部に設けられ、前記直状保護カバーが接続される接続口と、
前記配線・配管材の曲がり部の曲げ角度を変更すべく切断される切断部と、
前記切断部が切断されることによって形成される端部に前記直状保護カバーが接続可能な接続口を形成すべく前記切断部に隣接する部分に設けられた接続口形成部と
を備えたことを特徴とする配線・配管材保護カバー。
【請求項２】
前記接続口は、前記直状保護カバーに外嵌して該直状保護カバーの端部を覆う被覆部を備えたことを特徴とする請求項１に記載の配線・配管材保護カバー。
【請求項３】
前記構築面に固定される基台と、該基台に装着される蓋体とからなることを特徴とする請求項１または請求項２に記載の配線・配管材保護カバー。
【請求項４】
前記切断部は、前記蓋体に形成された蓋体切断部と、前記基台に形成された基台切断部とからなり、
前記基台切断部は、前記蓋体切断部より奥側に形成され、
前記各切断部を切断することにより、前記基台の端部に、前記直状保護カバーの端部が当接する当接部が形成され、該当接部に前記直状保護カバーの端部が当接した状態で前記蓋体に該直状保護カバーの端部を覆う被覆部が形成されることを特徴とする請求項３に記載の配線・配管材保護カバー。
【発明の詳細な説明】
【技術分野】
【０００１】
本発明は、建物の床面や壁面等の構築面に沿って配設される配線・配管材の直状部を収容して保護する直状保護カバーが両端に接続されるとともに、前記配線・配管材の曲がり部を収容して保護する配線・配管材保護カバーに関するものである。
【背景技術】
【０００２】
前記構築面に沿って電力線、通信線、電線管、通水管等の配線・配管材を配設する場合、配線・配管材用の保護カバーを構築面に取付けてこの保護カバーに配線・配管材を収容し保護することが一般的に行なわれている。
【０００３】
構築面に沿って配線・配管材を配設するに際して、配設路の曲がり部においては保護カバーを所定角度曲げなければならないから、その場合には、直状部の保護カバーである直状保護カバーと、この直状保護カバーに接続される曲がり部用保護カバーとを用いている。このような曲がり部用保護カバーに関しては、例えば、特許文献１に、配線・配管材が９０°の角度で曲げられた配設路に用いられる保護カバーが開示されている。
【０００４】
ところで、配線・配管材を曲がり部で曲げて配設する場合、９０°に曲げることが多いものの、それ以外にも、例えば、３０°や４５°など様々の角度で曲げなければならないこともある。そのような様々な角度で曲げられた配線・配管材の曲がり部を収容して保護するには、曲げ角度に応じた複数種類の曲がり部用保護カバーを用意する必要がある。
【０００５】
これに対して、特許文献２や特許文献３には、切断することで異なる曲げ角度に対応できるようにした管部材が提案されている。
【先行技術文献】
【特許文献】
【０００６】
【特許文献１】特開２０１１−１５１９９８号公報
【特許文献２】特開２００１−５９５８７号公報
【特許文献３】実開昭５５−９９１１号公報
【発明の概要】
【発明が解決しようとする課題】
【０００７】
しかし、曲がり部用保護カバーは、その両端に直状保護カバーを見栄え良く的確に接続できるよう、通常、接続口は直状保護カバーと略同一の形状でこれに外嵌或いは内嵌するような形状に形成されている。このため、配線・配管材の曲げ角度に対応するために曲がり部用保護カバーの適宜部位を単に切断するだけでは、両端に直状保護カバーに的確に接続することはできない。そのような場合には、切断された端部に別途に専用の接続部材を取付けるなどして接続することが必要となる。
【０００８】
本発明は、上記実情を鑑みてなされたものであり、配線・配管材の曲がり部を収容して保護する曲がり部用保護カバーにおいて、配線・配管材の異なる曲げ角度に対応できるとともに、簡易な構成で両端に直状保護カバーを的確に接続することのできる配線・配管材保護カバーの提供を課題とする。
【課題を解決するための手段】
【０００９】
請求項１の配線・配管材保護カバーは、構築面に沿って配設される配線・配管材の直状部を収容して保護する直状保護カバーが両端に接続されるとともに、前記配線・配管材の曲がり部を収容して保護するものであって、全体が所定の角度に曲げ形成され、両端部には前記直状保護カバーが接続される接続口が設けられるとともに、前記配線・配管材の曲がり部の曲げ角度を変更すべく切断される切断部と、前記切断部が切断されることによって形成される端部に前記直状保護カバーが接続可能な接続口を形成すべく前記切断部に隣接する部分に設けられた接続口形成部とを備えたものである。
ここで、「配線・配管材」とは、配線材や配管材を包含して表わすものであり、配線材としては、電力線、通信線等を代表的に例示することができ、配管材としては、電力線や通信線を挿通させる電線管、空調設備の冷媒管やドレイン管、通水管等を代表的に例示することができる。
【００１０】
請求項２の配線・配管材保護カバーは、特に、接続口に、直状保護カバーに外嵌して該直状保護カバーの端部を覆う被覆部を備えている。
請求項３の配線・配管材保護カバーは、特に、構築面に固定される基台と、該基台に装着される蓋体とからなるものである。
請求項４の配線・配管材保護カバーは、特に、切断部が、蓋体に形成された蓋体切断部と、基台に形成された基台切断部とからなり、前記基台切断部は、前記蓋体切断部より奥側に形成され、前記各切断部を切断することにより、前記基台の端部に、前記直状保護カバーの端部が当接する当接部が形成され、該当接部に前記直状保護カバーの端部が当接した状態で前記蓋体に該直状保護カバーの端部を覆う被覆部が形成されるものである。
【００１１】
本発明に係る配線・配管材保護カバーは、切断部を切断せずにそのまま使用するか、或いは、切断部を切断して使用するかによって、配線・配管材の異なる曲げ角度に対応できるようしたものである。そして、本発明に係る配線・配管材保護カバーは、切断部に隣接する部分が、接続口を形成するための接続口形成部となっている。よって、切断部を切断すると、切断部に接続口が形成される。これにより、切断部を切断せずに使用する場合であっても、切断部を切断して使用する場合であっても、両端部に直状保護カバーを的確に接続させることができる。
【００１２】
なお、請求項２の発明は、直状保護カバーの端部を覆う被覆部によって、直状保護カバーの端部を隠蔽することができ、直状保護カバーとの継ぎ目部分からの塵や埃の侵入を抑制することができる。
【００１３】
また、請求項３の発明は、曲がり部用保護カバー自体を、基台と蓋体とからなる、所謂「分割体」として構成したものである。これにより、配線・配管材の配設作業に際して、基台と蓋体とを一体化した状態の曲がり部用保護カバーの端部から配線・配管材を挿入して曲がり部用保護カバーに収容させるに限らず、基台と蓋体とを別体の状態として、基台に配線・配管材を配設した上で基台に蓋体を装着して曲がり部用保護カバーに配線・配管材を収容させることもできる。よって、曲がり部用保護カバー自体を、使い勝手に優れたものとすることができる。
【００１４】
請求項４の発明は、直状保護カバーの端部に当接する当接部によって、直状保護カバーのそれ以上の侵入を防止することができ、直状保護カバーと曲がり部用保護カバーとを相互に正確に位置決めすることができる。また、直状保護カバーの端部を覆う被覆部によって、直状保護カバーの端部を隠蔽することができ、直状保護カバーとの継ぎ目部分からの塵や埃の侵入を抑制することができる。
【発明の効果】
【００１５】
本発明によれば、配線・配管材の異なる曲げ角度に対応できるとともに、簡易な構成でかつ切断部で切断するだけで直ちに両端に直状保護カバーを的確に接続することができる。
【図面の簡単な説明】
【００１６】
【図１】本発明に係る曲がり部用保護カバーの第一例の基台を示す図面であり、（ａ）は平面図、（ｂ）は正面図、（ｃ）は底面図である。
【図２】図１の保護カバーの斜視図である。
【図３】（ａ）は図１（ａ）におけるＡ−Ａ端面図、（ｂ）は図１（ａ）におけるＢ−Ｂ拡大断面図、（ｃ）は図１（ａ）におけるＣ−Ｃ拡大断面図である。
【図４】本発明に係る曲がり部用保護カバーの第一例の蓋体を示す図面であり、（ａ）は平面図、（ｂ）は正面図、（ｃ）は底面図である。
【図５】（ａ）は図４（ｃ）におけるＤ−Ｄ端面図、（ｂ）は図１（ｃ）におけるＥ−Ｅ端面図、（ｃ）は図４（Ｃ）におけるＦ−Ｆ拡大断面図である。
【図６】図１に示した基台に図４に示した蓋体を装着した状態を示す要部断面図である。
【図７】（ａ）は、直状保護カバーの要部断面図、（ｂ）は直状保護カバーの基台に蓋体を装着する状態を示す平面図、（ｃ）は曲がり部用保護カバーの基台に蓋体を装着する状態を示す平面図である。
【図８】直状保護カバーと曲がり部用保護カバーとの接続部分の要部断面図である。
【図９】図７とは異なる曲げ角度に対応した曲がり部用保護カバーの基台に蓋体を装着する状態を示す平面図である。
【図１０】基台の切断部を折って切断する状態を示す説明図である。
【図１１】本発明に係る曲がり部用保護カバーの第二例の基台及び蓋体を示す図面である。
【図１２】本発明に係る曲がり部用保護カバーの第三例の基台及び蓋体を示す図面である。
【発明を実施するための形態】
【００１７】
図１〜５に、本発明に係る配線・配管材保護カバーの第一例を示す。本例の配線・配管材保護カバーとしての曲がり部用保護カバー１０は、図１乃至図３に示す基台２０と、図４及び図５に示す蓋体４０とからなるものであり、図６に示すように、基台２０に蓋体４０を装着することで、内部に配線・配管材Ｈの収容空間Ｓを形成し、この収容空間Ｓに配線・配管材Ｈを収容して保護するものである。また、本例の曲がり部用保護カバー１０は、切断しないでそのまま使用するか、切断して使用するかで、配線・配管材Ｈの曲がり部の異なる曲げ角度に対応できるようにしたものであり、切断しないで使用する場合には、第一曲げ角度、具体的には本例では４５°に対応することができ、切断して使用する場合には、第一曲げ角度よりも小さい第二曲げ角度、具体的には本例では３０°に対応することができるようになっている。
【００１８】
まず、基台２０は、両面粘着テープや接着剤等によって構築面に固定されるものであり、平板状に形成された底板部２３と、底板部２３の中央部分に立設された一対の第一立壁部２４と、各第一立壁部２４の外側に立設された第二立壁部２５とを備えている。そして、第二立壁部２５の上部には、外側に向って突出する係止突起２６が適宜間隔で配設されている。更に、基台２０には、止めネジによっても構築面に固定できるようにネジ孔２７が設けられている。
【００１９】
また、基台２０には、全幅に渡って切断部１５（以下「基台切断部３０」と称する）が設けられており、基台２０は、基台切断部３０を境界として、第一基台部２１と第二基台部２２とに分けられている。なお、本例の曲がり部用保護カバー１０は、配線・配管材Ｈの４５°分の曲がり部を収容して保護するものであり、４５°のうち、第一基台部２１が３０°分を担い、第二基台部２２が残りの１５°分を担うように構成されている。
【００２０】
基台切断部３０は、切断することで第一基台部２１と第二基台部２２とに分離させるものであり、鋸やナイフ等の切断工具の案内となる切断案内を有する構造となっている。そして、本例では、切断案内が、底板部２３に設けた溝３１やスリット３２によって構成されている。また、第一立壁部２４及び第二立壁部２５においては、基台切断部３０に対応する部位が省略されており、第一基台部２１側と第二基台部２２側とに分断されている。
【００２１】
切断案内を構成する溝３１は、図３（ｂ）に示すように、底面が第一基台部２１側に向って深くなるように傾斜する傾斜面となった略Ｖ字状に形成されている。また、溝３１の深さは、底板部の厚みの略半分の深さとなっている。一方、切断案内を構成するスリット３２は、図３（ｃ）に示すように、基台２０の底板部２３を貫通するものであり、図１（ｃ）に示すように、基台２０の底板部２３において、全幅の略半分を占めるものとなっている。
【００２２】
また、基台２０には、幅方向の中央に、中心線の指標となるセンター指標２８が設けられている。また、基台切断部３０に隣接する第一基台部２１側の部位にも、センター指標２８が設けられている。ここで、第一基台部２１側にセンター指標２８を設け、第二基台部２２側にはセンター指標２８を設けない理由は、基台切断部を３０切断して第一基台部２１と第二基台部２２とに分離した場合、第一基台部２１が使用され、第二基台部２２については使用されず廃棄されるため、第二基台部２２にはセンター指標２８は必要としないからである。なお、本例では、センター指標２８が、図３（ｂ）に示すように、細微な溝によって構成されている。
【００２３】
次に、蓋体４０は、緩やかな円弧状に形成された天板部４３と、天板部４３の中央部分に突設された一対の突条４４と、各突条４４の外側に垂設された係止片４５とを備えている。また、蓋体４０の裏面において、基台２０に後述するように装着したときに基台２０の基台切断部３０と対応する位置より手前側に所定距離離間した部位には、全幅に渡って切断部１５（以下「蓋体切断部５０」と称する）が設けられている。なお、この位置関係について、これを基台２０からみれば、基台切断部３０は蓋体４０の蓋体切断部５０より所定距離奥側に形成されていることになる。ここで、所定距離とは後述する薄肉部４６の端部からの長さに相当する。蓋体４０は、蓋体切断部５０を境界として、第一蓋体部４１と第二蓋体部４２とに分けられている。なお、本例の曲がり部用保護カバー１０は、配線・配管材Ｈの４５°分の曲がり部を収容して保護するものであり、４５°のうち、第一蓋体部４１が３０°分を担い、第二蓋体部４２が残りの１５°分を担うように構成されている。
【００２４】
蓋体切断部５０は、切断することで第一蓋体部４１と第二蓋体部４２とに分離させるものであり、鋸やナイフ等の切断工具の案内となる切断案内を有する構造となっている。そして、本例では、切断案内は、図５（ｃ）に示すように、天板部４３の裏面に設けた溝５１であり、肉厚の１／４程度の浅い溝によって構成されている。
【００２５】
また、蓋体４０の両端部分は、所定長さの分だけ厚さが薄くなった薄肉部４６となっている。更に、蓋体４０における蓋体切断部５０に隣接する部位であって第一蓋体部４１側の部位が、所定長さの分だけ厚さが薄くなった薄肉部４６となっている。
【００２６】
このように構成された曲がり部用保護カバー１０は、基台２０に蓋体４０を装着すると、図６に示すように、内部に配線・配管材Ｈを収容する収用空間Ｓが形成される。ここで、本例では、一対の第一立壁部２４の間によって大きな収容空間Ｓ１が形成され、この収容空間Ｓ１に電力線Ｈ１や電線管Ｈ３等の太い配線・配管材Ｈを収容することができる。また、第一立壁部２４と第二立壁部２５との間によって小さな収容空間Ｓ２が形成され、この収容空間Ｓ２に信号線Ｈ２等の細い配線・配管材Ｈを収容することができる。
【００２７】
基台２０に蓋体４０を装着するには、基台２０に上方から蓋体４０を押し付けて、基台２０の係止突起２６に蓋体４０の係止片４５を係止させ、蓋体４０を基台２０に嵌着させればよい。これにより、基台２０に蓋体４０を容易には外れない状態で装着することができる。また、基台２０に蓋体４０を装着した状態では、第一立壁部２４と第二立壁部２５とで蓋体４０が支えられ、これにより、収用空間Ｓが潰れないように蓋体４０の上方から加わる応力に耐える構造となる。また、蓋体４０の裏面の突条４４が第一立壁部２４の内側に当接する構造となっている。これにより、蓋体４０に上方からの応力が加わった場合に、第一立壁部２４が内側に倒れて収容空間Ｓが潰されることが防止される。特に、本例の曲がり部用保護カバー１０は、主に、床面上に配線・配管材Ｈを配設する際に、この配線・配管材Ｈを保護するために使用されるものであり、上述の構造によって、蓋体４０を足で踏み付けたりしても十分に耐え得る構造となっている。
【００２８】
ところで、基台２０に蓋体４０を装着して全体で曲がり部用保護カバー１０とした場合、図７に示すように、両端に、配線・配管材Ｈの直状部を収容して保護する直状保護カバー６０が接続されることから、曲がり部用保護カバー１０は、その両端に、直状保護カバー６０の接続口１１を備えるものとして構成されている。そして、本例では、接続口１１が、直状保護カバー６０の端部に当接する当接部１２と、直状保護カバー６０の端部を被覆する被覆部１３とを有するものとしてある。また、本例では、接続口１１が基台２０の端部と蓋体４０の端部とで構成されるようにしてある。
【００２９】
具体的には、図１に示すように、基台２０の両端部によって接続口１１の一部である当接部１２が構成され、図４に示すように、蓋体４０の両端部分の薄肉部４６によって接続口１１の一部である被覆部１３が構成されるようにしてある。更に、基台２０の基台切断部３０を切断した場合には、この基台切断部３０が基台２０の端部を構成し、蓋体４０の蓋体切断部５０を切断した場合には、この蓋体切断部３０が蓋体４０の端部を構成することから、基台切断部３０によっても当接部１２を形成することができ、蓋体切断部５０に隣接する薄肉部４６によっても被覆部１３を形成することができるようにしてある。なお、蓋体４０の蓋体切断部５０に隣接する部位の薄肉部４６は、直状保護カバー６０の接続口と同一形状の接続口１１を形成するためのものであり、接続口形成部１４として捉えることができる。
【００３０】
次に、図７に基づき、本例の曲がり部用保護カバー１０の使用例を説明する。なお、図７では、曲がり部用保護カバー１０を切断しないで使用して、配線・配管材Ｈの曲げ角度４５°の曲がり部を収容保護する態様を示す。
【００３１】
曲がり部用保護カバー１０は、その両端に直状保護カバー６０が接続されるものである。ここで、直状保護カバー６０は、図７（ａ）に示すように、構築面に固定される基台６１と、この基台６１に装着される蓋体６２とからなり、長尺状に形成され、基台６１と蓋体６２との端面が揃うように適宜の寸法で切断して用いられるものである。そして、直状保護カバー６０は、基台６１や蓋体６２に切断部が設けられていない点、蓋体６２に薄肉部６４が設けられていない点以外は、曲がり部用保護カバー１０と略同一の断面形状を呈するものとなっており、基台６１に蓋体６２を上方から押し付けることで嵌着させるものとなっている。
【００３２】
図７（ｂ）に示すように、まず、構築面に、直状保護カバー６０の基台６１と、曲がり部用保護カバー１０の基台２０とを固定する。この固定に際しては、曲がり部用保護カバー１０の基台２０の両端部に、ストレート用保護カバー６０の基台６１の端部が当接するように夫々を配置する。そして、各基台２０，６１上に配線・配管材Ｈを配設した上で、直状保護カバー６０の基台６１に蓋体６２を装着する。次に、図７（ｃ）に示すように、曲がり部用保護カバー１０の基台２０に蓋体４０を装着する。すると、図８に示すように、曲がり部用保護カバー１０の蓋体４０の被覆部１３によって直状保護カバー６０の蓋体６２の端部が覆われた状態となって、曲がり部用保護カバー１０と直状保護カバー６０との接続が完了し、もって、各保護カバー１０，６０による配線・配管材Ｈの収容保護が完了する。
【００３３】
次に、図９に、切断した曲がり部用保護カバー１０を用いて、配線・配管材Ｈの曲げ角度３０°の曲がり部を収容保護する状態を示す。この例では、基台２０を基台切断部３０にて切断し、第一基台部２１と第二基台部２２とに分離した上で第二基台部２２を廃棄して第一基台部２１を使用し、また、蓋体４０を蓋体切断部５０にて切断し、第一蓋体部４１と第二蓋体部４２とに分離した上で第二蓋体部４２を廃棄して第一蓋体部４１を使用している。そして、基台２０については、基台切断部３０の端部が直状保護カバー６０の端部に当接する当接部１２となり、蓋体４０については、蓋体切断部５０に隣接する薄肉部６４が直状保護カバー６０の端部を覆う被覆部１３となっている。よって、切断した側の端部の接続口１１は、他方の端部の接続口１１や切断しないで用いる場合の端部の接続口１１と同一形状であり、直状保護カバー６０の端部に的確に接続することができる。
【００３４】
次に、本例の曲がり部用保護カバー１０の作用を説明する。
曲がり部用保護カバー１０は、基台切断部３０及び蓋体切断部５０が設けられ、これらの切断部１５を切断することにより、配線・配管材Ｈの異なる曲げ角度に対応した曲がり部用保護カバーを形成できる。そして、蓋体切断部５０に隣接する部分に、直状保護カバー６０が接続可能な接続口１１を形成するための接続口形成部１４が設けられているので、簡易な構成で、かつ切断された端部に別途専用の接続部材等を取付けたりすることなく単に切断部１５で切断するだけで直ちに、しかも見栄え良く的確に曲がり部用保護カバー１０の両端に直状保護カバー６０を接続することができる。
【００３５】
そして、直状保護カバー６０の端部に当接する当接部１２によって、直状保護カバー６０のそれ以上の挿入を防止することができ、直状保護カバー６０と曲がり部用保護カバー１０とを相互に正確に位置決めすることができる。また、直状保護カバー６０の端部を覆う被覆部１３によって、直状保護カバー６０の端部を隠蔽することができ、直状保護カバー６０との継ぎ目部分からの塵や埃の侵入を抑制することができる。
【００３６】
ところで、基台２０については、構築面に固定されるものであり、さほどの剛性を確保する必要がないことから、基台切断部３０の切断案内を上述のように深い溝３１やスリット３２によって形成することができる。また、切断案内が設けられる底板部２３は、平板状のものである。よって、基台切断部３０を、切断工具によらず、手によって折ることでも切断が可能である。ここで、切断案内の溝３１が、底面が第一基台部２１側に傾斜する傾斜面となった略Ｖ字状の溝３１であることから、基台切断部３０を手によって折ることで切断した場合に、図１０に示すように、破断が第一基台部２１側に進行する。よって、当接部１２として端面を使用する側の第一基台部２１には、端面から突出するようなバリが生じ難い。このように、基台切断部３０について、手によって折ることで切断することを想定すると、底面が使用する側に傾斜する略Ｖ字状の溝３１を切断案内として用いることは好適である。
【００３７】
一方、蓋体４０については、足で踏み付けられる等の大きな外力が加わる可能性が高いことから、十分な剛性を確保することが要望される。よって、蓋体切断部５０については、手によって容易に折ることができない構造とすることが望ましい。このため、本例の如く、深い溝やスリットではなく浅い溝５１によって切断案内を構成することが好適である。
【００３８】
なお、基台切断部３０や蓋体切断部５０の切断部１５において、切断案内を、溝やスリットに限らず、所定間隔で円形や矩形の貫通孔を連設した所謂「ミシン目」や、ごく浅い溝によって形成されたケガキ線、或いは、印刷によって描かれた線としてもよい。また、切断部１５に切断案内を設けるに限らず、切断案内を省略して、作業者が目分量によって切断部１５を切断するようにしてもよい。
【００３９】
次に、図１１に、第二例の配線・配管材保護カバーとしての曲がり部用保護カバー１０ａを示す。この第二例では、基台２０については、第一例の基台２０と同様な構成であるが、蓋体４０ａについては、以下のような構成となっている。
【００４０】
第二例の蓋体４０ａは、第一蓋体部４１と第二蓋体部４２との間の接続口形成部１４において、第一蓋体部４１側及び第二蓋体部４２側の双方に、第一蓋体部用切断部５３及び第二蓋体部用切断部５４といった二つの切断部５０が設けられている。この第二例では、基台２０の基台切断部３０を切断して第一基台部２１を用いるとともに、蓋体４０ａの第一蓋体部用切断部５３を切断して第一蓋体部４１を用いることで、３０°の曲げ角度に対応することができる。一方、基台２０の基台切断部３０を切断して分離された第二基台部２２を用いるとともに、蓋体４０ａの第二蓋体部用切断部５４を切断して第二蓋体部４２を用いることで、１５°といった第三曲げ角度に対応することができる。
【００４１】
次に、図１２に、第三例の配線・配管材保護カバーとしての曲がり部用保護カバー１０ｂを示す。この第三例では、基台２０ｂについて、第一基台部２１と第二基台部２２との間に捨て基台部２９が設けられており、この捨て基台部２９の第一基台部２１側及び第二基台部２２側の双方に、第一基台部用切断部３３及び第二基台部用切断部３４といった二つの切断部３０が設けられている。また、蓋体４０ｂについて、蓋体切断部５０に隣接する第一蓋体部４１側の部位及び第二蓋体部４２側の部位の双方に二つの接続口形成部１４が設けられている。この第三例では、基台２０ｂの第一基台部用切断部３３を切断して第一基台部２１を用いるとともに、蓋体４０ｂの蓋体切断部５０を切断して第一蓋体部４１を用いることで、３０°の曲げ角度に対応することができる。また、この３０°の曲げ角度に対応するものとは別個に、基台２０の第二基台部用切断部３４を切断して第二基台部２２を用いるとともに、先の切断により第一蓋体部４１とは分離された第二蓋体部４２を用いることで、１５°の曲げ角度に対応することができる。
【００４２】
以上、本発明の曲がり部用保護カバー１０，１０ａ，１０ｂを例示したが、本発明は上述の例に限らず、本発明の要旨を逸脱しない範囲で適宜の変更が可能である。
【００４３】
例えば、切断しない状態で４５°の曲げ角度に対応するものとしたが、切断しない状態で９０°や６０°といったように、本例とは異なる曲げ角度に対応するものとしてもよい。また、切断して用いる場合には、３０°や１５°に対応させるに限らず、切断しない状態で用いる対応角度よりも小さな角度として、適宜設定すればよい。
【００４４】
更に、上記各実施形態の曲がり部用保護カバー１０は、切断部１５を基台２０、蓋体４０それぞれに１箇所ずつ設けて２つに切断可能なものとしているが、これに限定されるものではなく、切断部１５を２箇所以上に設けて３つ以上に切断可能なものとし、より多くの曲げ角度に対応できるものとすることもできる。
【００４５】
加えて、上記各実施形態の曲がり部用保護カバー１０は、基台２０と蓋体４０との２分割体で形成されているが、必ずしもこれに限定されるものではなく、切断後にその端部に直状保護カバー６０を的確に接続できる接続口形成部を形成できれば、一体物で形成することを妨げるものでもない。
【００４６】
ところで、本発明は、本例の如く、切断しない状態で９０°未満の曲げ角度に対応させる場合に特に有効である。これは、次の理由による。すなわち、配線・配管材Ｈを配設する場合、９０°に曲げることは頻繁に行なわれ、９０°の曲げ角度に対応する保護カバーは使用頻度が高いと想定される。ここで、使用頻度の高い９０°用の保護カバーに対して、切断部１５や接続口形成部１４を設けることは無駄な構成が多くなり、強度の低下や材料の無用な消費を招くことになる。よって、使用頻度が高いと想定される９０°の曲げ角度に対応する保護カバーについては、９０°専用のものとし、一方、使用頻度が比較的低いと想定される９０°未満の曲げ角度に対応する保護カバーについては、本発明を適用して、切断するか否かで異なる曲げ角度に対応できる利便性に優れた保護カバーとすることが好ましいからである。
【符号の説明】
【００４７】
Ｈ  配線・配管材                     ２２  第二基台部
１０  曲がり部用保護カバー             ３０  基台切断部
１１  接続口                           ４０  蓋体
１２  当接部                           ４１  第一蓋体部
１３  被覆部                           ４２  第二蓋体部
１４  接続口形成部                     ４６  薄肉部
１５  切断部                           ５０  蓋体切断部
２０  基台                             ６０  直状保護カバー
２１  第一基台部
【図１】
2015135166.tif 000003
【図３】
2015135166.tif 000004
【図４】
2015135166.tif 000005
【図５】
2015135166.tif 000006
【図６】
2015135166.tif 000007
【図７】
2015135166.tif 000008
【図８】
2015135166.tif 000009
【図９】
2015135166.tif 000010
【図１０】
2015135166.tif 000011
【図１１】
2015135166.tif 000012
【図１２】
2015135166.tif 000013
【図２】
2015135166.tif 000014